【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
（ａ）１分子あたり平均少なくとも１.５個のエポキシド基を含むアルコキシ基で変性
されたポリエポキシド樹脂、および
（ｂ）マンニッヒ塩基ポリアミン
の反応生成物である水溶性ポリアミン付加物を含む水溶性組成物であって、ここで、マンニッヒ塩基ポリアミンは、少なくとも２つのアミノ基を含むポリアミンと、フェノール化合物、アルデヒド、および第２級アミンの反応から生成されるＮ−マンニッヒ縮合物との反応生成物であるものとし；但し、このＮ−マンニッヒ縮合物の第２級アミンは、ポリアミンの少なくとも２つのアミノ基の１つによって置き換えられており、このポリアミンは第２級アミンより高い温度で沸騰し、そしてこのポリアミンの少なくとも２つのアミノ基の少なくとも１つは第１級または第２級アミノ基であり；そして水溶性ポリアミン付加物が、固体含有物を基準として多くとも１０００のアミン水素当量（ＡＨＥＷ）を有するように、アルコキシ基で変性されたポリエポキシド樹脂に対するマンニッヒ塩基ポリアミンの比率が、エポキシド基に対して過剰な活性アミン水素を含むものである、上記の水溶性組成物。
【請求項２】
アルコキシ基で変性されたポリエポキシド樹脂が、
（ｉ）少なくとも２つのＯＨ基および１つのポリアルコキシ鎖を含むポリエーテルポリオールと、１分子あたり平均少なくとも１.５個のエポキシド基を含むポリエポキシド樹
脂との反応生成物、
（ii）１分子あたり平均少なくとも１.５個のエポキシド基を含むポリエポキシド樹脂
と、ポリアルコキシ鎖を含むポリアルコキシモノアミンとの反応生成物であって、ポリアルコキシモノアミンが以下の構造
【化１】
2004269882.tif 000001
（式中、ＲはＨまたはＣ1〜Ｃ12のアルキルであり、ＸはＣ2Ｈ4、Ｃ3Ｈ6またはＣ4Ｈ8のアルキル基であり、ＹはＣ2Ｈ4、Ｃ3Ｈ6またはＣ4Ｈ8のアルキル基であり、そしてｎは２
００〜４０００の分子量を有するポリアルコキシモノアミンを生成するのに十分な反復数である）
を有するもの、
（iii）少なくとも２つのＯＨ基および１つのポリアルコキシ鎖を含むポリエーテルポ
リオールのポリグリシジルエーテル、および
（iv）１分子あたり平均少なくとも１.５個のエポキシド基を含むアルコキシル化ジフェノールのジグリシジルエーテル誘導体
からなる群から選択される１つである請求項１に記載の水溶性組成物。
【請求項３】
（ｉ）のポリエーテルポリオールが２００〜４０００の分子量を有する請求項２に記載の水溶性組成物。
【請求項４】
（ｉ）のポリエーテルポリオールのポリアルコキシ鎖が、ポリエチレンオキサイド、ポリプロピレンオキサイド、ポリブチレンオキサイド、およびポリテトラヒドロフランからなる群から選択される１つである請求項２に記載の水溶性組成物。
【請求項５】
（ｉ）のポリエポキシド樹脂が、ビスフェノール−Ａエポキシ樹脂およびビスフェノール−Ｆエポキシ樹脂の少なくとも１つである請求項２に記載の水溶性組成物。
【請求項６】
（ｉ）のポリエポキシド樹脂に対するポリエーテルポリオールのモル比が、１／１.５〜１／１０である請求項２に記載の水溶性組成物。  
【請求項７】
（ii）のポリアルコキシモノアミンが８００〜１２００の分子量を有する請求項２に記載の水溶性組成物。
【請求項８】
（ii）のポリアルコキシモノアミンのポリアルコキシ鎖が、ポリエチレンオキサイド、ポリプロピレンオキサイド、ポリブチレンオキサイド、およびポリテトラヒドロフランからなる群から選択される１つである請求項２に記載の水溶性組成物。
【請求項９】
（iii）のポリエーテルポリオールのポリアルコキシ鎖が、ポリエチレンオキサイド、
ポリプロピレンオキサイド、ポリブチレンオキサイド、およびポリテトラヒドロフランからなる群から選択される１つである請求項２に記載の水溶性組成物。
【請求項１０】
（iii）のポリエーテルポリオールのポリグリシジルエーテルが、２００〜４０００の分子量を有する請求項２に記載の水溶性組成物。
【請求項１１】
（iv）のアルコキシル化ジフェノールが構造
【化２】
2004269882.tif 000002
（式中、Ｘはジフェノールから誘導されるアリーリデン基であり、ＲはＣ2Ｈ4、Ｃ3Ｈ6またはＣ4Ｈ8のアルキル基であり、そしてｎ＋ｍ＝１〜２０である）を有する請求項２に記載の水溶性組成物。
【請求項１２】
アルコキシ基で変性されたポリエポキシド樹脂を、エポキシ当量／アミン当量の比１／３〜１／１２でマンニッヒ塩基ポリアミンと反応させる請求項１に記載の水溶性組成物。
【請求項１３】
ポリアミンがアルコキシレート基をさらに含む請求項１に記載の水溶性組成物。
【請求項１４】
ポリアミンが、ジエチレントリアミン、トリエチレンテトラミン、１,３−ビスアミノ
シクロヘキシルアミン、イソホロンジアミン、Ｎ−アミノエチルピペラジン、４,７−ジ
オキサデカン−１,１０−ジアミン、１−プロパンアミン−３,３’−（オキシビス（２,
１−エタンジイルオキシ））ビス−、ポリ（オキシ（メチル−１,２−エタンジイル））
、アルファ−（２−アミノメチルエチル）オメガ−（２−アミノメチルエトキシ）、トリエチレングリコールジアミン、およびポリ（オキシ（メチル−１,２−エタンジイル））
アルファ,アルファ’−（オキシ（ジ−２,１−エタンジイル））ビス（オメガ−（アミノメチルエトキシ））からなる群から選択される１つである請求項１に記載の水溶性組成物。
【請求項１５】
Ｎ−マンニッヒ縮合物およびポリアミンを、活性部位／モルの比０.８〜２で反応させる請求項１に記載の水溶性組成物。
【請求項１６】
Ｎ−マンニッヒ縮合物が２,４,６−トリス−（ジメチルアミノメチル）フェノールである請求項１に記載の水溶性組成物。
【請求項１７】
ＡＨＥＷが、固体含有物を基準にして多くとも３５０である請求項１に記載の水溶性組成物。
【請求項１８】
水が有機共溶媒を含まないものとし、単一相を生成するように水溶性ポリアミン付加物が、少なくとも２０重量％の水によって２０℃の温度で希釈される請求項１に記載の水溶性組成物。
【請求項１９】
請求項１の水溶性組成物と１分子あたり平均少なくとも１.５個のエポキシド基を含む
ポリエポキシド樹脂との反応生成物を含み、硬化可能である組成物。
【請求項２０】
（ａ）フェノール化合物、アルデヒド、および第２級アミンを反応させることによりＮ−マンニッヒ縮合物を製造し、
（ｂ）マンニッヒ塩基ポリアミンを製造し、ここでマンニッヒ塩基ポリアミンが、少なくとも２つのアミノ基を含むポリアミンと、フェノール化合物、アルデヒド、および第２級アミンの反応から生成されるＮ−マンニッヒ縮合物との反応生成物であるものとし；但しこのＮ−マンニッヒ縮合物の第２級アミンは、ポリアミンの少なくとも２つのアミノ基の１つによって置き換えられており、このポリアミンは第２級アミンより高い温度で沸騰し、そしてこのポリアミンの少なくとも２つのアミノ基の少なくとも１つは第１級または第２級アミノ基であり、そして
（ｃ）このマンニッヒ塩基ポリアミンと１分子あたり平均少なくとも１.５個のエポキ
シド基を含むアルコキシ基で変性されたポリエポキシド樹脂を反応させ、ここで、アルコキシ基で変性されたポリエポキシド樹脂に対するマンニッヒ塩基ポリアミンの比が、水溶性ポリアミン付加物が、固体含有物を基準として多くとも１０００のアミン水素当量（ＡＨＥＷ）を有するものとなるようにエポキシド基に対して過剰な活性アミン水素を含むものとする、
ことからなる請求項１に記載の水溶性組成物を製造する方法。
【請求項２１】
１分子あたり平均少なくとも１.５個のエポキシド基を含むポリエポキシド樹脂と水溶
性組成物の反応生成物とを含むコンクリートのためのプライマーであって、この水溶性組成物が、  
（ａ）フェノール化合物、アルデヒド、および第２級アミンを反応させてＮ−マンニッヒ縮合物を生成し、
（ｂ）マンニッヒ塩基ポリアミンを生成し、ここで、マンニッヒ塩基ポリアミンが、少なくとも２つのアミノ基を含むポリアミンと、フェノール化合物、アルデヒド、および第２級アミンの反応から生成されるＮ−マンニッヒ縮合物との反応生成物であるものとし；但しこのＮ−マンニッヒ縮合物の第２級アミンは、ポリアミンの少なくとも２つのアミノ基の１つによって置き換えられており、このポリアミンが第２級アミンより高い温度で沸騰し、そしてこのポリアミンの少なくとも２つのアミノ基の少なくとも１つが第１級または第２級アミノ基であり、そして
（ｃ）マンニッヒ塩基ポリアミンを１分子あたり平均少なくとも１.５個のエポキシド
基を含むアルコキシ基で変性されたポリエポキシド樹脂と反応させてポリアミン付加物を生成する、
ことによって生成され、ここでこのプライマーは、固まっているコンクリートに施すのに適合している上記のプライマー。
【請求項２２】
コンクリートが固まっている養生コンクリートを得るための硬化化合物を使用してコンクリートを養生させ、そして／または
下塗りされたコンクリートを得るためのプライマーを使用してコンクリートを下塗りする
ことからなり、硬化化合物またはプライマーの少なくとも１つが請求項１９記載の組成物を含有する、コンクリートを処理する方法。